(57)【特許請求の範囲】
【請求項１】
本葉（イ）を有する台木苗１の茎を切断して自根台木１ａと、本葉（イ）を有する茎葉残部１ｂとに分け、該自根台木１ａに野菜の穂木５を接木して第１の野菜の接木苗Ａを得ると共に、前記本葉（イ）を有する茎葉残部１ｂを挿木して第１の再生台木苗２を得、この茎を切断して第２の自根台木２ａと、本葉を有する第２の茎葉残部２ｂとに分け、該第２の自根台木２ａに前記とは別の野菜の穂木６を接木して前記とは別の野菜の接木苗Ｂを得、また他方本葉を有する第２の茎葉残部２ｂを挿木して、第２の再生台木苗３を得、以下同様に接木と挿木を繰返すことを特徴とする野菜の接木苗の育成方法。
【請求項２】
野菜がトマトである請求項１記載の野菜の接木苗の育成方法。
【請求項３】
台木苗がキュウリモザイクの弱毒ウイルス感染苗である請求項１または２記載の野菜の接木苗の育成方法。
【発明の詳細な説明】
【０００１】
【発明の属する技術分野】
本発明は本葉を有する台木苗の茎を切断して自根台木と、本葉を有する茎葉残部とに分け、該自根台木に野菜の穂木を接木して野菜の接木苗を得る方法の改良に関し、廃棄を余儀なくされていた、本葉を有する茎葉残部の有効利用を可能とし、またコストの低減が計れる野菜の接木苗に関する。
【０００２】
【従来の技術】
従来、図１の（３）において本葉（イ）を有する台木苗１の茎を切断して自根台木１ａと、本葉を有する茎葉残部１ｂとに分け、該自根台木１ａに野菜の穂木５を接木して野菜の接木苗Ａを得る方法が知られている。
しかしながら、この方法は果実の品質や収量性等が優れている穂木苗５と、耐病性を持つなどの利点を備えた台木苗１をそれぞれ２０日以上育苗管理した二本の苗から一本の野菜の接木苗を作成しており、接木をすることなく育成した自根苗と比較してコストが嵩み、また本葉を有する茎葉残部１ｂは有効利用することなく廃棄を余儀なくされる欠点を有する。また、穂木苗５或いは台木苗１の幼苗期にキュウリモザイクの弱毒ウイルスを接種して高度耐病性を持つ野菜の接木苗（例えばトマトの接木苗）を得る技術が開発されたが、この野菜の接木苗はキュウリモザイクの弱毒ウイルス接種を行なうので、従来の接木苗よりさらに製造コストが嵩む欠点を有する。
【０００３】
【発明が解決しようとする課題】
本発明は、従来公知の野菜の接木苗の製造法において、廃棄を余儀なくされていた、本葉を有する茎葉残部の有効利用を可能とし、またコストの低減を計ることを目的とする。
【０００４】
【課題を解決するための手段】
本発明者らは、このような課題を解決するため鋭意検討を重ねた結果、図１において、本葉（イ）を有する台木苗１の茎を切断して自根台木１ａと、本葉（イ）を有する茎葉残部１ｂとに分け、該自根台木１ａに野菜の穂木５を接木して第１の野菜の接木苗Ａを得ると共に、また本葉（イ）を有する茎葉残部１ｂを挿木して第１の再生台木苗２を得、この茎を切断して第２の自根台木２ａと、本葉を有する第２の茎葉残部２ｂとに分け、該第２の自根台木２ａに前記とは別の野菜の穂木６を接木して前記とは別の野菜の接木苗Ｂを得、また他方本葉を有する第２の茎葉残部２ｂを挿木して、第２の再生台木苗３を得、この茎を切断して以下同様に接木と挿木を繰返すときは、前記本葉を有する茎葉残部も有効利用できる野菜の接木苗の製造が可能となり、また製造コストも低減が計れることを知った。
本発明はこの知見に基づいて完成したものであって、即ち本発明は、本葉（イ）を有する台木苗１の茎を切断して自根台木１ａと、本葉（イ）を有する茎葉残部１ｂとに分け、該自根台木１ａに野菜の穂木５を接木して第１の野菜の接木苗Ａを得ると共に、前記本葉（イ）を有する茎葉残部１ｂを挿木して第１の再生台木苗２を得、この茎を切断して第２の自根台木２ａと、本葉を有する第２の茎葉残部２ｂとに分け、該第２の自根台木２ａに前記とは別の野菜の穂木６を接木して前記とは別の野菜の接木苗Ｂを得、また他方本葉を有する第２の茎葉残部２ｂを挿木して、第２の再生台木苗３を得、以下同様に接木と挿木を繰返すことを特徴とする野菜の接木苗の育成方法である。
【０００５】
【発明の実施の形態】
以下、本発明の野菜の接木苗について、添付の図１に基づいて具体的に説明する。
【０００６】
先ず、底の浅い箱型容器（例えば水稲育苗箱など）に育苗用土を詰め、これに台木用植物の種を密に播き（例えば条間約６ｃｍ、種子間隔約１ｃｍ）、所定の大きさに育成した後、専用の育苗トレイに移植するか、あるいは、専用の育苗トレイに育苗用土を詰め、これに同様にして台木用植物の種を播き、所定の大きさに育苗して本葉（イ）を有する台木苗１を得る。
この台木苗１は、図１の（３）に示すように、本葉（イ）を有するものであれば任意のものが採用できるが、特に本葉２〜３枚が展開し、子葉上の茎径が１．５〜２．５ｍｍで、子葉（ロ）から第一本葉までの茎の長さ（第一節間長）が１．０〜２．０ｃｍの台木苗が好ましい。
【０００７】
なお、この台木苗の育成の途中、図１の（１）に示すように子葉期〜本葉１枚期の台木苗に、公知の方法により作出したキュウリモザイクの弱毒ウイルス（以下弱毒ＣＭＶという）を接種するときは、高度耐病性を持つ野菜の接木苗が得られるので好ましい。
ここに用いる弱毒ＣＭＶは、例えば特開平５−３７８９号の方法により調製したものが挙げられる。
また弱毒ＣＭＶの接種は、該弱毒ＣＭＶの純化した粒子を５０〜５００μｇ／ｍｌになるように燐酸緩衝液に懸濁し、公知の方法により接種すればよく、例えば噴霧ローラー法（特開平４−３３０００５号参照）で行うことが好ましい。
台木苗に弱毒ＣＭＶを接種すると、容易にこの弱毒ＣＭＶが感染した台木苗が得られ、また、この台木苗に野菜の穂木を接木すると、該穂木に弱毒ＣＭＶが移行し、高度耐病性を有する野菜の接木苗が得られることが判明した。
図１において、８は噴霧器、９は弱毒ＣＭＶを示す。また、図１の（２）に示すように台木苗または接木苗の黒塗りの部分は弱毒ＣＭＶ感染を示す。
【０００８】
次に、図１の（３）に示すように本葉（イ）及び子葉（ロ）を有する台木苗１の該子葉の真上又は真下の茎を切断して、自根台木１ａと、本葉を有する茎葉残部１ｂとに分ける。図１の（３）は子葉（ロ）の真上を切断したことを示す。
【０００９】
図１の（４）に示すように、自根台木１ａの切断面に、野菜の穂木５の切断面を接合わせ、接木支持具７（クリップ型、チュ−ブ型、接着剤、ピンなどの接合手段があるが、これらに限定するものではない）により固定する常法通りの接木作業を行い、野菜の接木苗Ａを得る。
そして、この野菜の接木苗Ａは、この後直ちに高温多湿密閉条件で数日養生した後順化することが好ましい。
この条件としては、温度２５〜３０℃、湿度９０％以上、曇天程度の日照、無風で３〜４日間養生することが最も好ましいことが判明した。
【００１０】
一方、上記の切断により分離された本葉を有する茎葉残部１ｂの下端部を図１の（５）に示すように、充分に潅水した培土に直立させて浅く挿木する。
即ち、通常の挿木の方法に準じて、例えば市販の培土を満たした育苗トレイ（７２穴〜１２８穴）の各セルに該本葉を有する茎葉残部１ｂの下端部を０．５ｃｍ〜１．０ｃｍの深さに直立させて軽く挿すことにより行われる。
この場合、培土は通常市販されている育苗用培土、例えばタキイ種苗社製「たねまき培土」、サカタのタネ社製「スーパーミックスＡ」、住友林業社製「土太郎」、Ｔ＆Ｔ社製「Ｔ＆Ｔ育苗培土」、ホ−ネン社製「セルトップミックス」などが好ましい。
【００１１】
こうして得られた挿木は、直ちに前記した接木の養生条件と同一か、またはそれよりやや高温で養生することが好ましい。
即ち、温度２５〜３５℃、湿度９０％以上、密閉下、曇天程度の日照、無風の状態で５〜７日間養生することが好ましい。
【００１２】
次いで、生育した再生台木苗を数本抜取り、それらの下部先端の茎切断部から充分な発根を確認した後、該再生台木苗２を外気（室温内）に馴らした後、温度管理や、潅水作業など通常の育苗管理を数日間行い、子葉上、或いは第１本葉の上、或いは第２本葉の上の節間長が１〜４ｃｍ、茎径が１．５〜２．５ｍｍになった第１の再生台木苗２を得る。
【００１３】
次いで、図１の（６）に示すように、この第１の再生台木苗２の茎を切断して自根台木２ａと、本葉を有する茎葉残部２ｂとに分ける。
【００１４】
図１の（７）に示すように、自根台木２ａの切断面に、別の野菜の穂木６の切断面を接合わせ、接木支持具７により固定する常法通りの接木作業を行う。
そして、この野菜の接木苗は、上記野菜の接木苗Ａと同じ要領で養生した後、順化し、本発明の野菜の接木苗Ｂを得る。
【００１５】
次いで、図１の（８）に示すように、そして上記第１の再生台木苗２の場合と同じ要領で、上記本葉を有する茎葉残部２ｂを挿木し、次いで養生行う。
こうして、第２の再生台木苗３を得る。
【００１６】
次いで、以下上記と同様にして、図１の（１０）示すように接木と、図１の（１１）に示すように挿木を繰り返し、本発明の野菜の接木苗Ｃ、同Ｅ（図面簡略のため図示せず）、同Ｆ（同）…を順次得ることができる。
【００１７】
なお、上記野菜の接木苗の育成方法において、本葉（イ）を有する台木苗１の茎を少なくとも２箇所で切断して自根台木１ａ、１つ以上の中段茎部（図面簡略のため図示せず）、及び上段の本葉を有する茎葉残部１ｂとに分け、該自根台木１ａに野菜の穂木５を接木して野菜の接木苗を得ると共に、該中段茎部の上端に穂木を接木すると共に下端を挿木して別の野菜の接木苗（図面簡略のため図示せず）を得、そしてまた前記上段の本葉を有する茎葉残部１ｂを挿木して第１の再生台木苗２を得、この茎を少なくとも１箇所で切断して第２の自根台木２ａと、本葉を有する第２の茎葉残部２ｂを得、該第２の自根台木２ａに前記とは別の野菜の穂木を接木して別の野菜の接木苗を得、また他方本葉を有する第２の茎葉残部２ｂを挿木して、第２の再生台木苗３を得、以下同様に接木と挿木を繰返すときも、同様な効果が得られる。
【００１８】
本発明の適用が可能な野菜としては、任意の野菜が挙げられ、特にナス科植物（トマト、ナス、ピーマンなど）、ウリ科植物（キュウリ、メロン、スイカなど）が好適な例として挙げられる。そして、トマトは最も本発明の効果が良好に反映されるので好ましい。
以下実施例を示して本発明をより具体的に説明する。
【００１９】
【実施例】
実施例１
トマトの接木苗の育成例
（１）キュウリモザイクの弱毒ウイルス感染苗の育成
先ず、タキイ種苗社製の育苗培土「たねまき培土」とホーネン社製の同「セルトップミックス」を１：１に混合して作成した育苗培土を専用の育苗トレイに充填し、台木苗の種子（タキイ種苗社製の「影武者」）と穂木苗の種子（日本デルモンテ社製の「サマーキッス」）を直播きしたあと、バーミュキライトを種子の１．５倍程度の厚さに覆土して、２６〜３０℃にセットした出芽器に入れ、４日育苗管理し、発芽させたあと、温室内に出庫して適当な採光条件のもと、適当な温度管理と潅水操作を行う通常の育苗管理を行い、本葉１．０枚期（播種１５日後）の台木苗を得た。
この台木苗全体に弱毒ＣＭＶ（日本デルモンテ社製、「ＮＤＭ−１」）を噴霧ローラー法により接種し、以下前記と同様な条件で育苗管理を行った。
【００２０】
弱毒ＣＭＶの感染確認は、接種８日後（本葉２枚期）に台木苗の本葉片（０．２ｇ程度）を採取して擂り潰し、液汁を作成した後、全核酸をフェノール抽出し、ポリアクリルアミド電気泳動後、エチジウムブロマイドで染色し、ＮＤＭ−１の２本鎖サテライトＲＮＡ（約３９０塩基）のバンド位置を確認する分析方法（以下「ウイルス核酸分析法」と称する）で行った。
その結果台木苗からの２本鎖サテライトＲＮＡの検出率は１００％であった。
【００２１】
（２）台木苗および穂木苗の育成
表１に播種２５日を経過した弱毒ＣＭＶ接種台木苗と穂木苗のそれぞれの生育状況を示す。
【００２２】
【表１】
0003862813.tif 000002
【００２３】
表１の結果から、播種後２５日を経過した台木苗と穂木苗の茎径は、それぞれ１．７および１．９ｍｍで、また第一節間長それぞれ１ｃｍとなり、接木に適した苗であることが判る。
従って、台木苗および穂木苗の育成には、播種後少なくとも２５日必要とすることが判る。
【００２４】
（３）接木苗作成と弱毒ＣＭＶ全身移行の確認
次に、表１に記載の接木に適した、しかも弱毒ＣＭＶが感染した台木苗１の子葉（ロ）真上の茎を切断して、自根台木１ａと、本葉を有する茎葉残部１ｂとに分け、該自根台木１ａの切断面に、表１に記載の穂木苗の子葉真上の茎を切断して得た穂木５の切断面を接合して、スーパーウイズ（ナスニック社製）で固定する通常の接木を行い、直ちに高温（温度２５〜３０℃）多湿（湿度９０〜９５％）で、密閉下、曇天程度の日照、無風で３日間養生した後順化して野菜の接木苗Ａを作成した。
その接木苗をさらに前記と同じ条件で約１か月育苗管理し、弱毒ＣＭＶが自根台木から接木苗全身に移行する状況をウイルス核酸分析法により測定した。
その接木苗の弱毒ＣＭＶ全身移行状況を表２に示す。
【００２５】
【表２】
0003862813.tif 000003
【００２６】
表２の結果から、弱毒ＣＭＶに感染した台木苗を用いて接木することにより、弱毒ＣＭＶが接木苗全身に移行することが判る。
従って、穂木苗への弱毒ＣＭＶ接種を行うことなく弱毒ＣＭＶ感染接木苗を作成できることが判る。
【００２７】
（４）本発明の再生台木苗の作成
前記本葉を有する茎葉残部（ウイルス核酸分析によりＮＤＭ−１の２本鎖サテライトＲＮＡを検出した本葉を有する茎葉残部）１ｂを、潅水により充分に湿った表３に記載の育苗用土が充填してある１２８穴トレイに挿木した。
そのトレイを、底に湿ったペーパータオルが敷いてある扁平な光透過性プラスチック箱に入れて、箱の上部をビニールで覆い密閉した。
１７〜３３℃に温度制御が可能な無色透明ガラス温室に設置した出芽器（啓分社製作所社製、ダイヤグリンセンターＨ−８）の温度を２８℃にセットして、上記挿木苗の入ったプラスチック箱を入庫し、さらにこの出芽器を半透明のカバーで覆い、高温（２８〜３３℃）多湿（９０〜９５％）の密閉した、薄曇り程度の日照条件のもと５日間静置した後、トレイの挿木苗を徐々に外気（ガラス温室内）に馴らす操作を２日行い、第１の再生台木苗２を得た。
その台木苗の茎葉残部の挿木活着率を、種々の育苗用土ごとに表３に示す。
【００２８】
【表３】
0003862813.tif 000004
【００２９】
表３より、いずれの育苗用土においても、本葉を有する茎葉残部１ｂを挿木して高温多湿密閉条件のもと５日間静置して順化すれば、容易に本発明の再生台木苗２が得られることが判る。
【００３０】
（５）育苗用土（サカタのタネ社製の「スーパーミックスＡ」）に挿木して得た本発明の再生台木苗の生育試験
育苗用土（サカタのタネ社製の「スーパーミックスＡ」）に挿木して得た本発明の再生台木苗の生育試験の結果を表４に示す。
【００３１】
【表４】
0003862813.tif 000005
【００３２】
表４の結果から、挿木の茎径は、挿木後９日目において１．９ｍｍに、同１６日目において２．５ｍｍになり、また茎の節間長は９日目において０．８ｍｍに、また１６日目において３．９ｍｍにそれぞれ生育することが判る。
一般に、幼苗期の接木用の台木苗としては、茎径が１．５〜２．５ｍｍで、切断する茎の節間長が１ｃｍ以上が好ましいとされていることから、挿木後９日程度には台木苗として好適なものとなるが、挿木後１６日では、茎径が使用限界に近い２．５ｍｍに生育することから、本葉を有する茎葉残部１ｂの挿木後の育成期間は、季節による生育の変動もあるが、９〜１６日が好ましいことが判る。
一般に播種した苗を接木に用いる場合、少なくとも２０日以上に渡る育苗管理を必要とされているので、本発明の本葉を有する茎葉残部１ｂを台木苗として使用する場合、その育苗管理期間は、半分程度短縮されることが判る。
【００３３】
（６）本発明による接木苗の作成
表５に記載された再生台木の品種を用いて得られた、弱毒ＣＭＶの感染した本葉を有する茎葉残部１ｂを、挿木して１０日養生し、それぞれ表５に記載の再生台木２を育成した。
この台木の本葉の上の茎を斜めに切断して、第２の自根台木２ａと第２の茎葉残部２ｂとに分け、第２の自根台木２ａの切断面に、播種後２５日の穂木苗（直播穂木）６の子葉真上を斜めに切断して得た本葉を有する部分の切断面を接合して、接木支持具（ナスニック社製スーパーウイズ）７で固定する接木を行い、直ちに高温（温度２５〜３０℃）多湿（湿度９０〜９５％）、密閉下、曇天程度の日照、無風で３日間養生した後順化して野菜の接木苗Ｂを作成した。
この野菜の接木苗の接木活着結果を表５に示す。
【００３４】
【表５】
0003862813.tif 000006
【００３５】
表５より、本葉を有する台木苗１の茎を切断して自根台木１ａと、本葉を有する茎葉残部１ｂとに分け、該自根台木１ａに野菜の穂木５を接木して第１の野菜の接木苗を得ると共に、前記本葉を有する茎葉残部１ｂを挿木して第１の再生台木苗２を得、この茎を切断して得た第２の自根台木２ａに、常法通りの接木支持具を用いて、直播穂木を接木するときは、いずれの再生台木品種を用いる場合においても、高い接木活着率が得られることが判る。
また、接木苗が生育するにしたがって、弱毒ＣＭＶに感染した台木から接木した穂木に弱毒ＣＭＶが移行したことを確認した。
【００３６】
（７）本発明と、常法との接木苗生産効率の比較
本発明の再生台木苗を接木に用いる場合、接木までの日数と接木回数などを常法と比較した。
その結果を表６に示す。
【００３７】
【表６】
0003862813.tif 000007
【００３８】
表６より、台木苗を播種して接木に用いる大きさにまで育成するには、播種後約２５日を要するが、本葉を有する茎葉残部から育成した再生台木苗は１０日程度で接木に使用できる。
また、本発明では本葉を有する茎葉残部を繰返し再生台木苗として利用することにより、台木苗の播種は一回で済む。播種、覆土などの作業や、温度、潅水などの発芽管理に要する労力を軽減できる。
さらに、弱毒ＣＭＶの接種も一回で済む。
よって、高価な弱毒ＣＭＶの使用量が大幅に減り、しかも少量の弱毒ＣＭＶを接種することにより、大量の弱毒ＣＭＶの感染した接木苗の生産が可能となる。
【００３９】
【本発明の効果】
本発明は、常法の接木作業で不要になっていた台木苗の本葉を有する茎葉部分を挿木により再生させ、接木に再利用できる効果がある。
また、台木苗を複数分割して利用できる効果も有する。
また、本発明は播種して台木苗を育成する場合と比較して、台木苗の生育が早く進み、茎径や節間長が短期間に接木に適合する台木苗に生育し、台木苗を効率良く生産できる効果を有する。
そしてまた、播種して台木苗を育成する場合、種子の品質、覆土の厚さや覆土の種類などにより発芽率に微妙に影響が現われるので、播種から発芽までの管理に細心の注意が必要であり、そのことによって精神的負担を強いられるが、本発明の場合、本葉を有する茎葉部分をそのまま挿木するので、発芽率が悪くなることなどの懸念がない。
また、弱毒ＣＭＶを接種した接木苗生産において、該弱毒ＣＭＶの感染した台木苗の本葉を有する茎葉残部の挿木により繰返し接木に使用していくことにより、弱毒ＣＭＶ接種作業は、一回で、大量の弱毒ＣＭＶ接種接木苗生産が可能となる効果を有する。
従って、本発明は常法の接木作業のみならず、高度耐病性を有する弱毒ＣＭＶ接種接木作業においても、適用できる、即ち不要となった本葉を有する茎葉を利用し、育苗用土を特に限定しないで挿木という簡単な操作で、台木苗を短期間に効率良く生産できることに加え、種、覆土、弱毒ＣＭＶ等の育苗資材、さらに育苗管理労力も削減でき、トマトの接木苗生産において、生産コストを低減できる効果も合わせて奏することができる。
【図面の簡単な説明】
【図１】本発明の野菜の接木苗の作成過程を概略的に説明する図。
【符号の説明】
１…台木苗
１ａ…自根台木
１ｂ…茎葉残部
イ…本葉
ロ…子葉
２…第１の再生台木苗
２ａ…第２の自根台木
２ｂ…第２の茎葉残部
３…第２の再生台木苗
５…野菜の穂木
６…野菜の穂木
７…接木支持具
Ａ…野菜の接木苗
Ｂ…野菜の接木苗
Ｃ…野菜の接木苗
【図１】
0003862813.tif 000008